(57)【要約】【課題】天井ボード１０２の一端を野縁１０１に対して平行に仮固定することができるとともに、天井ボード１０２の一端を野縁１０１に対して直角にも仮固定することができる取付補助具１を提供する。【解決手段】野縁１０１に天井ボード１０２を保持する天井ボード取付補助具１であって、２本の野縁１０１の間隔よりも長い架設棒材２と、該架設棒材２の側面から側方に延びる連結部材３と、前記架設棒材２の一方の側面から野縁１０１の横幅寸法の距離を開けて前記隣接する２本の野縁１０１の間に収納できるように連結部材３によって支持固定された野縁前面規制部材４と、前記架設棒材２の下面から野縁１０１の縦寸法と前記天井ボード１０２の厚さ寸法の合計よりも長く下方に延びて形成される野縁後面規制部材５と、前記野縁後面規制部材５の下端に回転自在に取り付けられたボード受け片６と、を備えた。【選択図】図１
2009127319.tif 000002
【特許請求の範囲】
【請求項１】
天井形成部に平行に張りわたした野縁に天井ボードを一時的に保持する天井ボード取付補助具であって、
隣接する２本の野縁の間隔距離よりも長い架設棒材と、
該架設棒材の側面から側方に延びて野縁の上面に載置される連結部材と、
前記架設棒材の側面から野縁の横幅寸法の距離を開けて、前記隣接する２本の野縁の間に収納できるように前記連結部材によって前記架設棒材と平行に支持固定された野縁前面規制部材と、
前記架設棒材の下面から野縁の縦寸法と前記天井ボードの厚さ寸法の合計よりも長く下方に延びて形成される野縁後面規制部材と、
該野縁後面規制部材の下端に前記連結部材の延出方向に突出可能なように回転自在に取り付けられたボード受け片と、
を備えたことを特徴とする天井ボード取付補助具。
【請求項２】
前記野縁前面規制部材は、隣接する２本の野縁の間隔距離とほぼ等しい長さに形成されたことを特徴とする請求項１に記載の天井ボード取付補助具。
【請求項３】
前記架設棒材の両端に前記連結部材の延出方向に突き出す突出片が取付られたことを特徴とする請求項１又は請求項２に記載の天井ボード取付補助具。
【発明の詳細な説明】
【技術分野】
【０００１】
この発明は、天井形成部に張りわたした野縁に天井ボードを保持する天井ボード取付補助具に関する。
【背景技術】
【０００２】
従来、一人の作業者が、石膏ボード、合板等の天井ボードを野縁に取り付ける場合、天井ボードを支棒で支えたり作業者自身の頭で支えて、釘又はビスで天井ボードを野縁に打ち付けて行っていた。しかしこのような方法では、天井ボードが不安定で作業性が悪く、天井ボードの取付位置を誤る虞もあり、また、常時上向きの作業であるので危険性も大きかった。
【０００３】
そこで、釘又はビスで天井ボードを野縁に打ち付ける前に、天井ボードを野縁に対して仮固定することができる天井ボード取付補助具が種々提案されている（特許文献１、特許文献２参照）。例えば、図１０（ａ）に示すように、鉤状に形成された掛止片２０１と、この掛止片２０１の下端から水平方向に延びて形成される受け片２０２とが一体形成され、受け片２０２の下面に把手２０３が取り付けられた天井ボード取付補助具２０４が提案されている。
【０００４】
この天井ボード取付補助具２０４を用いて天井ボード１０２の取り付け作業を補助するときには、図１０（ｂ）に示すように、作業者が把手２０３をつかんで野縁１０１に掛止片２０１を引っ掛けて天井ボード取付補助具２０４を固定した後に、天井ボード１０２の一端を野縁１０１の下面と受け片２０２との間に挿入し、この天井ボード１０２の一端を野縁１０１と平行に仮固定する。そして、ビス１０３等を天井ボード１０２の他端側から天井ボード１０２に打ちつけて、天井ボード１０２と野縁１０１とを固定する。
【０００５】
【特許文献１】特公平７−１１３２６８号公報
【特許文献２】登録実用新案第２５４６６０８号公報
【発明の開示】
【発明が解決しようとする課題】
【０００６】
上述のような天井ボード取付補助具２０４は、天井ボード１０２の一端を野縁１０１の長手方向に対して平行にのみ仮固定することができ、天井ボード１０２の一端を野縁１０１長手方向に対して直交するように仮固定することはできない。しかし、天井形成部の形状や天井ボード１０２の取付位置によっては、天井ボード１０２の一端を野縁１０１の長手方向に対して平行に仮固定することが困難な場合や野縁１０１の長手方向に対して平行に仮固定した場合に不安定になる場合もある。
【０００７】
そこで本発明は、天井ボードの一端を野縁の長手方向に対して平行に仮固定することができるとともに、天井ボードの一端を野縁の長手方向に対して直交するようにも仮固定することができる天井ボード取付補助具を提供することを目的とする。
【課題を解決するための手段】
【０００８】
上記目的を達成するために、請求項１記載の天井ボード取付補助具は、天井形成部に平行に張りわたした野縁に天井ボードを一時的に保持する天井ボード取付補助具であって、隣接する２本の野縁の間隔距離よりも長い架設棒材と、該架設棒材の側面から側方に延びて野縁の上面に載置される連結部材と、前記架設棒材の側面から野縁の横幅寸法の距離を開けて、前記隣接する２本の野縁の間に収納できるように前記連結部材によって前記架設棒材と平行に支持固定された野縁前面規制部材と、前記架設棒材の下面から野縁の縦寸法と前記天井ボードの厚さ寸法の合計よりも長く下方に延びて形成される野縁後面規制部材と、該野縁後面規制部材の下端に前記連結部材の延出方向に突出可能なように回転自在に取り付けられたボード受け片と、を備えたことを特徴としている。
【０００９】
請求項２記載の天井ボード取付補助具は、前記野縁前面規制部材は、隣接する２本の野縁の間の長さとほぼ等しい長さに形成されたことを特徴としている。
【００１０】
請求項３記載の天井ボード取付補助具は、前記架設棒材の両端に前記連結部材の延出方向に突き出す突出片が取付られたことを特徴としている。
【発明の効果】
【００１１】
請求項１に記載の天井ボード取付補助具によると、架設棒材は隣接する２本の野縁の間隔距離よりも長いので、架設棒材を隣接する２本の野縁に架け渡すことができる。そして、架設棒材の下面から野縁の縦寸法と前記天井ボードの厚さ寸法の合計よりも長く下方に延びて形成される野縁後面規制部材と、野縁後面規制部材の下端に連結部材の延出方向に突出可能なように回転自在に取り付けられたボード受け片と、を備えているので、架設棒材を野縁に架け渡した状態で、ボード受け片に天井ボードの一端の縁を野縁に対して略直交するように載置することができる。したがって、天井ボードの一端の縁を野縁に対して略直交するように仮固定することができる。
【００１２】
また、架設棒材の側面から側方に延びて野縁上面に載置される連結部材と、架設棒材の側面から野縁の横幅寸法の距離を開けて隣接する２本の野縁の間に収納できるように連結部材によって前記架設棒材と平行に支持固定された野縁前面規制部材と、架設棒材の下面から野縁の縦寸法と天井ボードの厚さ寸法の合計よりも長く下方に延びて形成される野縁後面規制部材と、野縁後面規制部材の下端に連結部材の延出方向に突出可能なように回転自在に取り付けられたボード受け片と、を備えているので、上述の連結部材、野縁前面規制部材、及び野縁後面規制部材によって、野縁に掛止された状態で、ボード受け片に天井ボードを載置することができる。したがって、天井ボードの一端の縁を野縁に対して平行に仮固定することができる。すなわち、本発明の天井ボード取付補助具は、天井ボードの一端の縁を野縁に対して平行にも直交するようにも仮固定することができる。
【００１３】
したがって、天井形成部の形状、天井ボードの設置箇所、及び作業の順序等に応じて、天井ボードの一端の縁を野縁に対して平行に仮固定するか、直交するように仮固定するか選択することができる。例えば、天井ボードを仮固定したい野縁が家屋等の壁面に当接している場合や、天井ボードの仮固定位置に隣接する天井形成部に既に天井ボードが固定されている場合等で、野縁に平行な位置を仮固定することが困難な場合には、２本の野縁に天井ボード取付補助具を架設させて、天井ボードの野縁に直交する位置を仮固定することができ、また逆に、野縁に直交する位置を仮固定することが困難な場合には、１本の野縁に掛止させて、天井ボードの野縁に平行な位置を仮固定することができる。
【００１４】
さらに、本発明の天井ボード取付補助具は、１つの天井ボード取付補助具を用いて、天井ボードの一端の縁を野縁に対して平行及び直角のいずれにも仮固定することができるので、天井ボードの一端の縁を野縁に対して平行に仮固定する治具と天井ボードの一端の縁を野縁に対して直角に仮固定する治具とを両方用いて作業する場合に比べて、治具の管理負担を減らすことができるとともに、作業中にいずれの治具を用いるか考える必要も無いので、道具の取り扱いが便利である。
【００１５】
請求項２記載の天井ボード取付補助具によれば、前記野縁前面規制部材は、隣接する２本の野縁の間に収納できるように連結部材によって支持固定されており、隣接する２本の野縁の間隔距離とほぼ等しい長さに形成されているので、隣接する２本の野縁に架設棒材を架け渡したときに、野縁間の長さが設計通りであるか否か検査することができる。
【００１６】
請求項３記載の天井ボード取付補助具によれば、架設棒材の両端にボード受け片が突出する方向に突き出す突出片が取付られているので、ボード受け片に天井ボードの一端が載置されることにより、ボード受け片の先端側に下方に加重されるが、偏加重を突出片で受けることができるので、天井ボードを安定して仮固定することができる。
【発明を実施するための最良の形態】
【００１７】
この発明における天井ボード取付補助具１の最良の実施形態について、以下に説明する。本実施形態における天井ボード取付補助具１は、図１及び図２に示すように、長手形状に形成された架設棒材２と、この架設棒材２の側面から延びる２つの連結部材３と、連結部材３先端に取り付けられて支持された野縁前面規制部材４と、架設棒材２の下面から下方に延びて形成される野縁後面規制部材５と、この野縁後面規制部材５の下端に取り付けられたボード受け片６と、を備えている。
【００１８】
なお、本実施形態において、天井ボード取付補助具１の上方向は、天井ボード取付補助具１を野縁１０１に掛止又は架設した時に上側となる方向をいい、天井ボード取付補助具１の下方向は、天井ボード取付補助具１を野縁１０１に取り付けた際に下側となる方向をいう。
【００１９】
架設棒材２は、隣接する２本の野縁１０１の間の距離よりも長い角材で構成されており、その両端には連結部材３の延出方向と同じ方向に突出する突出片７が取り付けられている。２つの連結部材３は、互いに間隔を開けて架設棒材２の側面にネジで固定されている。野縁前面規制部材４は、隣接する２本の野縁の間の距離とほぼ等しい長さの角材で構成されており、長手方向が架設棒材２と平行となるように連結部材３の先端の下面にネジで固定されている。
【００２０】
また、野縁後面規制部材は、架設棒材２の下面に固定されて、野縁１０１の縦寸法と前記天井ボード１０２の厚さ寸法の合計よりも長く下方に延びて形成されている。そして、ボード受け片６は、図２に良く表されるように、野縁後面規制部材５の下縁の２箇所に互いに所定の距離を開けて取り付けられており、垂直方向を軸として回転自在に回転用ネジ８によって固定されている。
【００２１】
以上のように天井ボード取付補助具１は、例えば角材を所定の形状に切断して、ネジ等で組み立てることで、簡単に製作することができるものである。したがって、家屋等の施工現場等において予め天井ボード取付補助具１が用意されていない場合であっても、施工現場にある端材やネジ等を用いて簡単に用意することができる。なお、本発明の天井ボード取付補助具１は、この実施形態に限定されるものではなく、例えば金属や合成樹脂により一体的に形成されるものであっても良い。
【００２２】
次に、以上のように構成された天井ボード取付補助具１を用いて野縁１０１に天井ボード１０２を固定する方法について説明する。この天井ボード取付補助具１は、天井ボード１０２の一端の縁を野縁１０１に対して平行及び直交のいずれにも仮固定することができるものである。まず、図３から図６を参照しつつ、天井ボード１０２の一端の縁を野縁１０１に対して平行に仮固定する場合について説明する。
【００２３】
まず、天井形成部１００の形状、及び天井ボード１０２の形状を確認して、天井ボード１０２の取付位置を特定する。そして、この取付位置に天井ボード１０２をビス１０３等で固定するときに、天井ボード１０２をどの位置で仮固定するか決定する。すなわち、天井ボード取付補助具１を野縁１０１に掛止又は架設可能な部分であって、天井ボード１０２を仮固定した場合に最も安定し、天井ボード１０２の固定作業を行い易い仮固定位置を決定する。
【００２４】
そして、上述のように決定した天井ボード１０２を仮固定する位置の縁が、野縁１０１に対して平行である場合は、図３（ａ）に示すように、野縁１０１の掛止方向に突出していたボード受け片６を回転させて、掛止部２の野縁後面規制部材５の下縁とほぼ平行な位置に保持する。次に、天井ボード１０２の仮固定位置に合致する野縁１０１の位置に、天井ボード取付補助具１の掛止部２を上側から嵌め込むようにして、天井ボード取付補助具１を野縁１０１に掛止する。上述のように、ボード受け片６は回転されることで、野縁１０１の掛止方向に突出していないので、天井ボード取付補助具１を上側から簡単に野縁１０１に掛止することができる。
【００２５】
そして次に、図３（ｂ）に示すように、野縁１０１に掛止された天井ボード取付補助具１のボード受け片６を更に回転させて、連結部材３の延出方向、すなわち野縁１０１の掛止方向に突出させる。その後、図３（ｃ）に示すように、野縁１０１の下面とボード受け片６との間に天井ボード１０２の一端をその縁が野縁１０１に対して平行となるように挿入する。そして、図４に示すように、天井ボード１０２の縁が野縁１０１下面の中心線に重なり合う位置で、天井ボード１０２の一端をボード受け片６に載置し、天井ボード１０２を略水平に保持する。なお、図示しないが野縁１０１に、天井ボード取付補助具１を掛止したときに、ボード受け片６の野縁１０１下面の中心線と重なり合う位置に突条や段差を設けて、天井ボード１０２の縁を野縁１０１下面の中心線に重なり合う位置で載置しやすいように構成してもよい。
【００２６】
その後、図６に示すように、野縁１０１に仮固定した天井ボード１０２の一端と反対側の端から、天井ボード１０２にビス１０３を打ち込んで野縁１０１と天井ボード１０２とを固定する。このとき、天井ボード１０２の一端は天井ボード取付補助具１により仮固定され、他端はビス１０３により固定されるので、天井ボード１０２の両端の間をビス１０３で固定するときに作業者は、天井ボード１０２を下から支える必要がない。したがって、作業者は安定した状態で天井ボード１０２の取り付け作業を行うことができ、安全且つ効率よく作業をすることができる。
【００２７】
天井ボード１０２を野縁１０１に固定できると、図５に示すように、ボード受け片６を回転させて、掛止部２の野縁後面規制部材５の下縁とほぼ平行な位置に保持し、天井ボード取付補助具１を上側に引き抜くようにして取り外す。この場合においても、ボード受け片６は回転されて野縁１０１の掛止方向に突出していないので、天井ボード取付補助具１を簡単に野縁１０１から取り外すことができる。
【００２８】
次に、図７から図９を参照しつつ、天井ボード１０２の一端の縁を野縁１０１に対して直角に仮固定する場合について説明する。まず、上述の天井ボード１０２の一端の縁を野縁１０１に対して平行に仮固定する場合と同様の手順で、天井ボード１０２の仮固定位置を決定する。
【００２９】
そして、天井ボード１０２を仮固定する位置の縁が、野縁１０１に対して直交する場合は、図７（ａ）に示すように、この天井ボード１０２の仮固定位置における隣接する２本の野縁１０１の間に野縁前面規制部材４が入り込むように、且つ、架設棒材２の長手方向が野縁１０１に直交するように、上側から２本の野縁１０１に天井ボード取付補助具１を挿し込む。そして、架設棒材２の両端を２本の野縁１０１の上面に載置して、天井ボード取付補助具１を野縁１０１に架設させる。架設棒材２の両端には、図８（ａ）に示すように、ボード受け片６の突出方向に突き出す突出片７が取り付けられている。ボード受け片６には天井ボード１０２の一端が載置されるので、ボード受け片６の先端に偏って下方に加重されるが、架設棒材２の両端に突出片７が設けられていることで、この偏加重を突出片７で受けることができるので、天井ボード１０２を安定して仮固定することができる。
【００３０】
このとき、図８（ｂ）に示すように、天井ボード取付補助具１の野縁前面規制部材４は２本の野縁１０１の間に保持される。この野縁前面規制部材４の長さは２本の野縁１０１間の距離にほぼ等しいので、野縁前面規制部材４の両端が２本の野縁１０１とほぼ当接することとなる。天井ボード１０２の取り付け作業者は、野縁前面規制部材４が２本の野縁１０１の間に保持されて、両端が２本の野縁１０１とほぼ当接する位置にあるか否かを確認する。例えば、野縁前面規制部材４が２本の野縁１０１の間に嵌らない場合は設計上の基準よりも２本の野縁１０１間の距離が短いこととなる。また、野縁前面規制部材４の両端が２本の野縁１０１から離れて保持される場合は設計上の基準よりも２本の野縁１０１の間の距離が長いこととなる。このように、天井ボード取付補助具１を野縁１０１に直交するように挿し込むことで、天井ボードの仮固定作業を行いつつ、野縁１０１間の距離が設計どおりであるか否か検査することができる。
【００３１】
次に、図７（ｂ）に示すように、天井ボード１０２の一端を野縁１０１の下面とボード受け片６との間に挿入して、天井ボード１０２の一端の縁が野縁１０１に対して直交するように、ボード受け片６に載置する。そして、図９に示すように、上述の天井ボード１０２の一端の縁を野縁１０１に対して平行に仮固定する場合と同様に、天井ボード１０２の仮固定した一端と反対側の端から順にビス１０３を打ち付けて、天井ボード１０２を野縁１０１に固定する。
【００３２】
以上のように、本実施形態に係る天井ボード取付補助具１は、天井ボード１０２の一端の縁を野縁１０１に対して平行及び直角のいずれにも仮固定することができるものである。例えば、図６及び図９に示すように、家屋の壁面１０４に当接する野縁１０１や、天井ボード１０２の取付位置に隣接する位置の天井形成部１００に既に天井ボード１０２を施工済みの場合には、天井ボード取付補助具１を野縁１０１に掛止することはできない。また、天井ボード１０２の角部分よりも一端の縁の中央の方が仮固定した場合に安定しやすく、さらに、長辺を仮固定するよりも短辺を仮固定して、反対側の短辺からビス１０３等で固定したほうが作業が効率的に行い易い。
【００３３】
したがって、１つの天井ボード取付補助具１を用いて、天井ボード１０２の一端の縁を野縁１０１に対して平行及び直角のいずれにも仮固定することができることで、天井ボード１０２の野縁１０１への設置作業を効率よく行うことができる。また、天井ボード１０２の一端の縁を野縁１０１に対して平行に仮固定する治具と天井ボード１０２の一端の縁を野縁１０１に対して直角に仮固定する治具とを両方用いて作業する場合に比べて、治具の管理負担を減らすことができるとともに、作業中にいずれの治具を用いるか考える必要も無いので、道具の取り扱いが便利である。
【００３４】
なお、本発明の実施の形態は上述の形態に限ることなく、本発明の思想の範囲を逸脱しない範囲で適宜変更することができることは云うまでもない。
【産業上の利用可能性】
【００３５】
本発明に係る天井ボード取付補助具１は、野縁１０１に天井ボード１０２を取り付ける作業を補助する治具として好適に用いることができる。
【図面の簡単な説明】
【００３６】
【図１】斜め上方から見た本実施形態の天井ボード取付補助具を示す斜視図。
【図２】斜め下方から見た本実施形態の天井ボード取付補助具を示す斜視図。
【図３】天井ボードの一辺を野縁に対して平行に仮固定する本実施形態の天井ボード取付補助具の使用状態を下方からみて説明する図。
【図４】図３（ｃ）のＡ−Ａ断面図。
【図５】天井ボードの一端の縁を野縁に対して平行に固定して、天井ボード取付補助具を取り外した状態を下方から見た図。
【図６】天井ボードの一端の縁を野縁に対して平行となるように仮固定する状態の天井形成部を示す図。
【図７】天井ボードの一端の縁を野縁に対して直交するように仮固定する本実施形態の天井ボード取付補助具の使用状態を上方から見て説明する図。
【図８】天井ボードの一辺を野縁に対して直交するように仮固定した状態を示す平面図及び正面図。
【図９】天井ボードを野縁に固定した状態を下方から見た示す図。
【図１０】従来の天井ボード取付補助具を示す斜視図及び断面図。
【符号の説明】
【００３７】
１      天井ボード取付補助具
２      架設棒材
３      連結部材
４      野縁前面規制部材
５      野縁後面規制部材
６      ボード受け片
７      突出片
１００  天井形成部
１０１  野縁
１０２  天井ボード
【図１】
2009127319.tif 000003
【図２】
2009127319.tif 000004
【図３】
2009127319.tif 000005
【図４】
2009127319.tif 000006
【図５】
2009127319.tif 000007
【図６】
2009127319.tif 000008
【図７】
2009127319.tif 000009
【図８】
2009127319.tif 000010
【図９】
2009127319.tif 000011
【図１０】
2009127319.tif 000012